(57)【要約】【構成】紙製の使い捨ての舌圧子２００を包装体２０１内部に収納してなる包装舌圧子２の複数個を切断可能に連設してなる連設舌圧子２、連設舌圧子２を巻装してロ−ル型となしたロ−ル型舌圧子３及びロ−ル型舌圧子３をホルダ−４に装着してなるホルダ−装着舌圧子５。【効果】  紙製の舌圧子であるので、金属製舌圧子のような冷たい感触や不快感がなく、木製の舌圧子のように天然木材を使用しなくても済むので地球環境的にも好ましく、使い捨てに出来るので、衛生面の懸念や消毒滅菌に手間が掛かる等の欠点を有せず、連設舌圧子やロ−ル型舌圧子の形態になっているので、その包装物がバラバラにならず、手元に置いて診察に迅速に対応でき、片手で簡単にロ−ル型舌圧子を引き出すことができる。【選択図】        図１
2009000421.tif 000002
【特許請求の範囲】
【請求項１】
紙製の使い捨ての舌圧子を包装体内部に収納してなる包装舌圧子の複数個を切断可能に連設してなることを特徴とする連設舌圧子。
【請求項２】
紙製の使い捨ての舌圧子を包装体内部に収納してなる包装舌圧子の複数個を切断可能に連設し巻装してロ−ル型となしたことを特徴とするロ−ル型舌圧子。
【請求項３】
紙製の使い捨ての舌圧子を包装体内部に収納してなる包装舌圧子の複数個を切断可能に連設し巻装してロ−ル型となしたロ−ル型舌圧子を、当該ロ−ル型舌圧子を支持可能なホルダ−に装着してなることを特徴とするホルダ−装着舌圧子。
【発明の詳細な説明】
【技術分野】
【０００１】
本発明は、口腔の診察などに使用される舌圧子、特に、連設舌圧子、ロ−ル型舌圧子及びホルダ−装着舌圧子に関するものである。
【背景技術】
【０００２】
舌圧子は、口腔の診察などに使用され、人の口腔の内部に差し入れて舌の基部に圧接して咽喉部の診察などに使用されるものである。
当該舌圧子には、ステンレス製のチェルマック舌圧子や板状舌圧子などの金属製舌圧子が使用されてきたが、金属は舌に触れると冷たい感触や不快感を持たれ易く、又、重複使用などその衛生面が懸念され、更には、消毒滅菌に手間が掛かる等の欠点を有している。
そこで、ディスポ−サブル（使い捨て）舌圧子として、透明な包装袋の内部に木製の舌圧子を収納して、使用に際しては、当該包装袋を破いて内部に収納された木製の舌圧子を取り出す形式の一個一個を独立させた形態の舌圧子が上市されている。
しかし、当該木製の舌圧子は、通常、白樺等の白木（天然木材）を材料としており、地球環境的には好ましくなく、又、木目に沿って折損し易い等の欠点がある。
更に又、上記の木製の舌圧子にあっては、一個一個の木製の舌圧子がそれぞれ独立して包装袋の内部に収納され、更には、当該包装物が多数箱詰めされているので、箱からの取り出しなどの操作を要し、その都度の取り出しが厄介で、又、診察に際して医師や看護師などの手元にないので不便である等の欠点がある。
【発明の開示】
【発明が解決しようとする課題】
【０００３】
本発明は、上記のような従来技術の欠点に鑑み為されたもので、新規な舌圧子を提供することを目的としたものである。
本発明の他の目的および新規な特徴は以下の明細書及び図面の記載からも明らかになるであろう。
【課題を解決するための手段】
【０００４】
本発明の特許請求の範囲は、次の通りである。
（請求項１）  紙製の使い捨ての舌圧子を包装体内部に収納してなる包装舌圧子の複数個を切断可能に連設してなることを特徴とする連設舌圧子。
（請求項２）  紙製の使い捨ての舌圧子を包装体内部に収納してなる包装舌圧子の複数個を切断可能に連設し巻装してロ−ル型となしたことを特徴とするロ−ル型舌圧子。
（請求項３）  紙製の使い捨ての舌圧子を包装体内部に収納してなる包装舌圧子の複数個を切断可能に連設し巻装してロ−ル型となしたロ−ル型舌圧子を、当該ロ−ル型舌圧子を支持可能なホルダ−に装着してなることを特徴とするホルダ−装着舌圧子。
【発明の効果】
【０００５】
本願において開示される発明のうち代表的なものによって得られる効果を簡単に説明すれば、下記のとおりである。
すなわち、本発明によれば、紙製の舌圧子であるので、金属製舌圧子のような冷たい感触や不快感がなく、又、木製の舌圧子のように天然木材を使用しなくても済むので、地球環境的にも好ましく、特に、再生紙の使用は地球環境的にも更に好ましく、又、更には、使い捨てに出来るので、衛生面の懸念や消毒滅菌に手間が掛かる等の欠点を有しない。
更に、連設舌圧子やロ−ル型舌圧子の形態になっているので、一個一個の木製の舌圧子がそれぞれ独立して包装袋の内部に収納されてその包装物が多数箱詰めされている場合とは異なり、その包装物がバラバラにならず、又、ロ−ル型舌圧子のホルダ−装着によれば、医師や看護師などが当該ホルダ−装着を手元に置いて診察に迅速に対応でき、しかも、片手で簡単にロ−ル型舌圧子を引き出すことができ、木製の舌圧子とは異なり補充の手間も省け、舌圧子の切れの苦情も軽減でき、ホルダ−装着によれば舌圧子の減り具合も一目で判る。
【０００６】
次に、本発明の実施例を図面を参照しつつ説明する。
【実施例】
【０００７】
図２に示すように、本発明の連設舌圧子１は、舌圧子２００を包装体２０１の内部に収納してなる包装舌圧子２の複数個を切断可能に連設してなる。当該実施例では、７個の当該包装舌圧子２を切断可能に連設してなる例を示す。
【０００８】
当該舌圧子２００は、紙製の舌圧子により構成されている。当該紙製の舌圧子２００は、例えば、厚紙、再生紙により構成される。薄厚紙を重層したものでもよい。
舌圧子は、舌の基部に押圧して咽喉部の診察などに使用されるので、その旨の強度や安全性や衛生性等を備えておくとよい。
当該紙製の舌圧子２００は、図３に示すように、例えば、板状に構成される。
当該紙製の舌圧子２００は、図２及び図３にも示すように、その中央部や先端部等に線状の溝２０２などを構築して折り曲げ可能にしてもよい。
当該紙製の舌圧子２００は、図３に示すように、検診時の不快感を軽減するなどの目的で、例えば、その先端部に、ミントなどの無害な香料を塗布するした部分２０３を形成してもよい。
【０００９】
上記包装体２０１は、例えば、ポリ塩化ビニ−ルにより構成され、例えば、中の紙製の舌圧子２００の全体を包囲できる包装袋により構成される。中味の紙製の舌圧子２００を視認できるので、透明であることが望ましい。当該包装体２０１中の紙製の舌圧子２００は、一個一個例えば滅菌ガスを注入する等の方法で滅菌する。
当該包装体２０１には、衛生面に支障を来さない範囲で、切断を容易にするカット部分（図示省略）を設けてもよい。
【００１０】
連設舌圧子１においては、その舌圧子２００を包装体２０１の内部に収納してなる包装舌圧子２の各境界線に、図２に示すように、例えば、ミシン目よりなる切断線１００を形成して各包装舌圧子２を切断して分離できるようにしてある。
【００１１】
図１に示すように、上記の連設舌圧子１を巻装してロ−ル型舌圧子３となす。
図１では、省略してあるが、当該連設舌圧子１を巻装してロ−ル型舌圧子３となす。例えば、前記の紙製の舌圧子２００の数が２００〜３００枚程度になるようにする。
【００１２】
図１に示すように、当該ロ−ル型舌圧子３は、ホルダ−４に装着することができる。
当該ホルダ−４は、例えば、当該ロ−ル型舌圧子３を支持する芯部４００と側面部４０１と後背部４０２とカバ−部４０３とを備えてなる。
図示のように、当該ホルダ−４の芯部４００にて当該ロ−ル型舌圧子３を回転可能に支持してなるホルダ−装着舌圧子５の当該ロ−ル型舌圧子３を手で引張って、下方向に回転させて、各包装舌圧子２の各境界線のミシン目等よりなる切断線１００に沿って各包装舌圧子２を切断し分離する。次いで、当該包装舌圧子２の包装体２０１を破り、中味の紙製の舌圧子２００を取り出す。
【００１３】
本発明は上記実施例に限定されず、適宜変更が可能である。
【産業上の利用可能性】
【００１４】
本発明は、ロ−ル型舌圧子３を占用のホルダ−に装着してもよいし、又、トイレットペ−パ−ロ−ルホルダ−のような他のホルダ−を使用してもよい。
【図面の簡単な説明】
【００１５】
【図１】本発明の実施例を示す連設舌圧子、ロ−ル型舌圧子及びホルダ−装着舌圧子の構成図である。
【図２】本発明の実施例を示す連設舌圧子の構成図である。
【図３】（Ａ）本発明の実施例を示す紙製の舌圧子の構成図、（Ｂ）本発明の実施例を示す紙製の舌圧子の断面図、（Ｃ）本発明の他の実施例を示す紙製の舌圧子の構成図である。
【符号の説明】
【００１６】
１…連設舌圧子
２…包装舌圧子
３…ロ−ル型舌圧子
４…ホルダ−
５…ホルダ−装着舌圧子
１００…ミシン目よりなる切断線
２００…紙製の舌圧子
２０１…包装体
【図１】
2009000421.tif 000003
【図２】
2009000421.tif 000004
【図３】
2009000421.tif 000005